(57)【要約】【課題】水素タンクを配送するトラックを視認した人が不安感を低減する。【解決手段】ポイント発行システムは、写真を表す画像データを受信することができる受信部と、制御部であって、前記画像データが表す写真の画像が、水素を収容するタンクに付されることができ水素以外の流体を収容するタンクには付されない識別表示を含む場合に、商品またはサービスの少なくとも一部と交換可能なポイントの量を、前記識別表示に基づいて決定し、前記画像データを送信した機器または前記機器に対応づけられたユーザに対して、前記決定されたポイントを発行する、制御部と、を含む。【選択図】図２
2020113226.tif 000002
【特許請求の範囲】
【請求項１】
写真を表す画像データを受信することができる受信部と、
制御部であって、前記画像データが表す写真の画像が、水素を収容するタンクに付されることができ水素以外の流体を収容するタンクには付されない識別表示を含む場合に、
商品またはサービスの少なくとも一部と交換可能なポイントの量を、前記識別表示に基づいて決定し、
前記画像データを送信した機器または前記機器に対応づけられたユーザに対して、前記決定されたポイントを発行する、制御部と、を含むポイント発行システム。
【発明の詳細な説明】
【技術分野】
【０００１】
本開示は、ユーザによる水素タンクの視認を契機として、ユーザに対してポイントを発行するポイント発行システムに関する。
【背景技術】
【０００２】
従来、水素の製造設備を備えないオフサイト型水素ステーションの技術が存在する（特許文献１）。このようなオフサイト型水素ステーションに対しては、液体水素を収容した水素輸送容器、すなわち輸送用液体水素タンクを搭載したトラックによって、液体水素が配送される。輸送用液体水素タンクから供給される液体水素は、オフサイト型水素ステーションが有する貯留用液体水素タンクに収容される。貯留用液体水素タンクは、たとえば、直径２ｍ、長さ６〜８ｍの円柱形を有する。
【先行技術文献】
【特許文献】
【０００３】
【特許文献１】特開２０１４−８８９４１号公報
【発明の概要】
【発明が解決しようとする課題】
【０００４】
法律によって、貯留用液体水素タンクを地下に設置することが禁止されている場合には、特許文献１のような水素ステーションの貯留用液体水素タンクは、地上に配される。そのような場合には、貯留用液体水素タンクは、水素ステーションを利用しない人によっても視認される。その結果、水素ステーションの周辺の住民が不安感を感じる可能性がある。輸送用水素タンクも、トラックによる輸送中に通行人から視認される。その結果、輸送用水素タンクを配送するトラックを視認した人が不安感を感じる可能性がある。
【課題を解決するための手段】
【０００５】
本開示は、以下の形態として実現することが可能である。
【０００６】
（１）本開示の一形態によれば、ポイント発行システムが提供される。このポイント発行システムは、写真を表す画像データを受信することができる受信部と、制御部であって、前記画像データが表す写真の画像が、水素を収容するタンクに付されることができ水素以外の流体を収容するタンクには付されない識別表示を含む場合に、商品またはサービスの少なくとも一部と交換可能なポイントの量を、前記識別表示に基づいて決定し、前記画像データを送信した機器または前記機器に対応づけられたユーザに対して、前記決定されたポイントを発行する、制御部と、を含む。
このような態様とすれば、ユーザは、水素タンクを視認し写真の画像データを送信することによる利益を享受できる。その結果、ユーザが水素タンクを視認することによって感じうる不安感が低減される。
【０００７】
（２）本開示の他の形態によれば、ポイントシステムが提供される。このポイントシステムは、水素を収容する水素タンクであって、水素を収容するタンクに付されることができ水素以外の流体を収容するタンクには付されない識別表示が付された水素タンクと、ユーザによって携帯され、写真を撮影して、前記写真を表す画像データを外部に送信することができる携帯機器と、画像データを前記携帯機器から受信する処理装置であって、前記携帯機器から受信した画像データの画像が前記識別表示を含む場合に、前記携帯機器または前記ユーザに対して、商品またはサービスの少なくとも一部と交換可能なポイントを発行する処理装置と、を含む。
このような態様とすれば、ユーザに対して、水素タンクを視認することによる利益を提供できる。その結果、ユーザが水素タンクを視認することによって感じうる不安感を低減することができる。
【０００８】
本開示は、ポイント発行システムおよびポイントシステム以外の種々の形態で実現することも可能である。例えば、ポイントの発行方法、ポイントの管理方法、それらの方法を実現するコンピュータプログラム、そのコンピュータプログラムを記録した一時的でない記録媒体等の形態で実現することができる。
【図面の簡単な説明】
【０００９】
【図１】本実施形態のポイントシステムの一部を構成する水素供給システムを示す説明図である。
【図２】本実施形態のポイントシステムの一部を構成する携帯機器７００と、ポイント管理サーバ１００とを示す説明図である。
【図３】第２実施形態の水素ステーション２００Ｂの液体水素タンク２０５Ｂおよび制御部２１０を示す説明図である。
【図４】第３実施形態の水素ステーション２００Ｃの液体水素タンク２０５Ｃを示す説明図である。
【発明を実施するための形態】
【００１０】
Ａ．第１実施形態：
図１は、本実施形態のポイントシステムの一部を構成する水素供給システムを示す説明図である。この水素供給システムは、水素ステーション２００と、水素生成施設５００と、水素配送車両５５０と、を備える。
【００１１】
水素ステーション２００は、水素を燃料として動く水素自動車４００に水素を供給する店舗である。水素ステーション２００は、より具体的には、平地に設置されるコンビニエンスストアやドラッグストアなどの店舗である。水素ステーション２００は、商品を陳列し、在庫を保持している店舗の建物２０１のほか、水素ガスタンク２０４、液体水素タンク２０５、水素ガス供給装置２０９を備える。
【００１２】
水素ガスタンク２０４は、気体の水素を蓄えるタンクである。水素ガスタンク２０４は、最大で約８２ＭＰａの圧力で、３００リットルの水素ガスを保持することができる。
【００１３】
水素ガス供給装置２０９は、水素ガスタンク２０４内の水素ガスＨｇ３を、水素ステーション２００の外部に供給することができる。水素ガス供給装置２０９が水素ガスを供給する対象は、具体的には、水素自動車４００である。
【００１４】
液体水素タンク２０５は、水素ステーション２００の外部から液体水素を供給されて、液体水素を保持することができるタンクである。液体水素タンク２０５は、直径２ｍ、長さ７ｍの略円柱形を有する。液体水素タンク２０５は、液体水素を気化させることができる気化装置を備えている。液体水素タンク２０５は、保持している液体水素から気化装置によって水素ガスＨｇ４を生成し、水素ガスタンク２０４に供給することができる。水素ステーション２００が液体水素タンク２０５を備えることにより、水素ステーション２００は、不定期に来訪する水素自動車４００に対して、安定的に水素の供給を行うことができる。
【００１５】
液体水素タンク２０５の外面には、水素を収容するタンクに付されることができ水素以外の流体を収容するタンクには付されない識別表示２０５ｍが付されている。識別表示２０５ｍは、一般のユーザに親しみやすくデザインされている。
【００１６】
水素生成施設５００は、水素を精製する施設である。水素生成施設５００は、本実施形態において、製鉄所である。水素生成施設５００は、高炉５０１と、水素製造装置５０２と、液体水素タンク５０４とを有する。高炉５０１においては、コークスによって鉄鉱石が加熱され、銑鉄が取り出される。水素製造装置５０２は、コークス炉である。コークス炉においては、石炭が乾留されてコークスが製造される。コークスは、高炉５０１において使用される。水素製造装置５０２としてのコークス炉は、コークスを製造する際に発生するガスから水素を取りだす。液体水素タンク５０４は、水素製造装置５０２によって生成された水素を、液体水素として蓄えるタンクである。
【００１７】
水素配送車両５５０は、水素生成施設５００の液体水素タンク５０４内の液体水素ＨＬを受け取って、水素ステーション２００の液体水素タンク２０５に配送する。水素配送車両５５０は、液体水素を収容する液体水素タンク５５５を備える。
【００１８】
液体水素タンク５５５の外面には、水素を収容するタンクに付されることができ水素以外の流体を収容するタンクには付されない識別表示５５５ｍが付されている。識別表示５５５ｍは、水素ステーション２００の液体水素タンク２０５に付されている識別表示２０５ｍと、同一の形状を有している。ただし、識別表示５５５ｍは、液体水素タンク２０５に付されている識別表示２０５ｍよりも小さい。
【００１９】
水素自動車４００は、水素を使用して走行する車両である。水素自動車４００は、水素ガスタンク４０４、および燃料電池装置４０６を備える。水素ガスタンク４０４は、水素ガスを蓄えるタンクである。水素ガスタンク４０４は、最大で約７０ＭＰａの圧力で、約１３０リットルの水素ガスを保持することができる。燃料電池装置４０６は、水素ガスタンク４０４から気体の水素を供給されて、水素を使用して電力を発生させる。水素自動車４００は、燃料電池装置４０６が発生させた電力を使用して、図示しない電気モータにより走行する。
【００２０】
図２は、本実施形態のポイントシステムの一部を構成する携帯機器７００と、ポイント管理サーバ１００とを示す説明図である。
【００２１】
携帯機器７００は、ユーザＵｓｒによって携帯される情報処理装置である。携帯機器７００は、より具体的には、スマートフォンである。携帯機器７００は、ＧＰＳユニット７０１と、表示パネル７０２と、通信部７０５と、入力部７０６と、カメラ部７０７と、制御部７１０と、を有している。
【００２２】
ＧＰＳユニット７０１は、ＧＰＳ（Ｇｌｏｂａｌ Ｐｏｓｉｔｉｏｎｉｎｇ Ｓｙｓｔｅｍ／全地球測位システム）の衛星からの電波を受信するためのアンテナを含むユニットである。ＧＰＳのアンテナが受信する電波に基づいて、ＧＰＳユニット７０１は、携帯機器７００の現在位置を表す位置情報Ｉｐｏｓを生成することができる。
【００２３】
表示パネル７０２は、画像を表示することができる液晶ディスプレイである。表示パネル７０２は、表示している画像に応じてパネルの一部に接触されることによりユーザＵｓｒからの指示を受けとることができるタッチパネル７０６ａを備えている。具体的には、表示パネル７０２は、液晶ディスプレイの上に透明のタッチパネル７０６ａが重ねられて構成される。ユーザＵｓｒは、たとえば、表示パネル７０２の表面を指で押したり、表示パネル７０２の表面に接触した状態で指を動かすことにより、画像の表示を制御するための操作を行うことができる。なお、本明細書において、「画像」とは、狭義の画像のほか、文字、記号等を含む概念である。
【００２４】
入力部７０６は、上記タッチパネル７０６ａと、ハードウェアとしてのボタン７０６ｂを含む。ユーザＵｓｒは、タッチパネル７０６ａだけでなく、ボタン７０６ｂを押してＯＮ、確定、または終了の操作を行うことによっても、携帯機器７００に情報を入力することができる。
【００２５】
カメラ部７０７は、レンズと撮像素子とを備えるデジタルスチルカメラである。カメラ部７０７は、外部の景色の写真を撮影して、その写真を表す画像データＤｐｉｃを生成することができる。
【００２６】
通信部７０５は、インターネットＩＮＴを介してポイント管理サーバ１００と通信を行い、情報を送受信することができる。たとえば、カメラ部７０７が生成した画像データＤｐｉｃを含む送信データＤｓｄを、携帯機器７００の外部に送信することができる。
【００２７】
制御部７１０は、携帯機器７００の各部を制御する。制御部７１０は、プロセッサーであるＣＰＵ７１１、ＲＡＭ７１２、およびＲＯＭ７１３を備える。制御部７１０には、携帯機器７００の各部を制御するための制御プログラムがインストールされている。制御部７１０においては、ハードウェア資源としてのＣＰＵ７１１、ＲＡＭ７１２、およびＲＯＭ７１３と、制御プログラムとが協働する。具体的には、ＣＰＵ７１１が、ＲＯＭ７１３に記憶されたコンピュータプログラムをＲＡＭ７１２にロードして実行することによって、様々な機能を実現する。ＣＰＵ７１１が取得または生成した情報は、ＲＡＭ７１２に格納される。ＲＡＭ７１２は、たとえば、携帯機器７００のユーザＵｓｒを識別することができる識別情報Ｕｉｄを格納している。識別情報Ｕｉｄは、同一のユーザＵｓｒが所有する複数の携帯機器において、同一のユーザを表す情報であることができる。
【００２８】
制御部７１０は、たとえば、カメラ部７０７が生成した写真の画像データＤｐｉｃと、ＧＰＳユニット７０１が生成した位置情報Ｉｐｏｓと、ＲＡＭ７１２に格納されているユーザＵｓｒの識別情報Ｕｉｄと、を含む送信データＤｓｄを、通信部７０５を介してポイント管理サーバ１００に送信することができる。そして、制御部７１０は、ポイントを表すポイントデータＩｐｐをポイント管理サーバ１００から受信して、そのポイントデータＩｐｐが表すポイントの量を表示パネル７０２に表示することができる。ポイントについては、後に説明する。
【００２９】
前述のように、水素ステーション２００の液体水素タンク２０５の表面には、識別表示２０５ｍが付されている（図２の上段右部参照）。また、水素配送車両５５０の液体水素タンク５５５の表面には、識別表示２０５ｍと同一の形状の識別表示５５５ｍが付されている（図２の中段右部参照）。
【００３０】
一部の水素配送車両５５０の液体水素タンク５５５に付されている識別表示５５５ｍは、他の水素配送車両５５０の液体水素タンク５５５に付されている識別表示５５５ｍとは異なる色を有している。たとえば、本実施形態のポイントシステムの構成要素である水素配送車両５５０のうちの約５％の水素配送車両５５０については、液体水素タンク５５５に付されている識別表示５５５ｍａは、ピンク色を基調とする表示である。本実施形態のポイントシステムの構成要素である水素配送車両５５０のうちの他の水素配送車両５５０の識別表示５５５ｍｂは、識別表示５５５ｍａにおいてピンク色で表示されている部分が水色である。図２において、液体水素タンク５５５に識別表示５５５ｍａが付されている水素配送車両５５０を水素配送車両５５０Ａとして示す。液体水素タンク５５５に識別表示５５５ｍｂが付されている水素配送車両５５０を水素配送車両５５０Ｂとして示す。
【００３１】
本明細書において、識別表示５５５ｍａ，５５５ｍｂをまとめて記述する場合は、識別表示５５５と記載する。本明細書において、水素配送車両５５０Ａ，５５０Ｂをまとめて記述する場合は、水素配送車両５５０と記載する。
【００３２】
ポイント管理サーバ１００は、携帯機器７００から受信したデータ中の画像データＤｐｉｃに応じて、ユーザＵｓｒに対してポイントを発行する。ポイント管理サーバ１００は、通信部１０５と、制御部１１０と、を有している（図２の左上部参照）。
【００３３】
通信部１０５は、インターネットＩＮＴを介して携帯機器７００と通信を行い、情報を送受信することができる。通信部１０５は、たとえば、写真を表す画像データＤｐｉｃを、受信することができる。
【００３４】
制御部１１０は、ポイント管理サーバ１００の各部を制御する。制御部１１０は、プロセッサーであるＣＰＵ１１１、ＲＡＭ１１２、およびＲＯＭ１１３を備える。制御部１１０には、ポイント管理サーバ１００の各部を制御するための制御プログラムがインストールされている。制御部１１０においては、ハードウェア資源としてのＣＰＵ１１１、ＲＡＭ１１２、およびＲＯＭ１１３と、制御プログラムとが協働する。具体的には、ＣＰＵ１１１が、ＲＯＭ１１３に記憶されたコンピュータプログラムをＲＡＭ１１２にロードして実行することによって、様々な機能を実現する。ＣＰＵ１１１が取得または生成した情報は、ＲＡＭ１１２に格納される。
【００３５】
ＲＡＭ１１２は、半導体メモリと、固定ディスクとを含む。ＲＡＭ１１２は、たとえば、各携帯機器７００のユーザＵｓｒに発行されたポイントの情報を含むポイント管理データＩｐａを格納する。携帯機器７００のユーザＵｓｒに発行されたポイントについては、以下で説明する。
【００３６】
ポイント管理サーバ１００の制御部１１０は、ＲＡＭ１１２にＳＮＳ（Social Networking Service）を構築している。携帯機器７００のユーザＵｓｒは、携帯機器７００を使用して、インターネットＩＮＴを介してポイント管理サーバ１００にアクセスし、ＳＮＳに画像データＤｐｉｃや文字情報をアップロードすることができる。より具体的には、携帯機器７００の制御部７１０が、写真の画像データＤｐｉｃと、位置情報Ｉｐｏｓと、ユーザＵｓｒの識別情報Ｕｉｄと、を含む送信データＤｓｄを、通信部７０５を介してポイント管理サーバ１００に送信する。また、携帯機器７００の制御部７１０が、文字情報と、ユーザＵｓｒの識別情報Ｕｉｄと、を含むデータを、通信部７０５を介してポイント管理サーバ１００に送信する。ポイント管理サーバ１００の制御部１１０は、それらのデータを受信して、画像データＤｐｉｃや文字情報をＳＮＳに掲載する。
【００３７】
携帯機器７００のユーザＵｓｒは、携帯機器７００を使用して、インターネットＩＮＴを介してポイント管理サーバ１００にアクセスし、ＳＮＳに掲載された画像データＤｐｉｃや文字情報を閲覧することができる。
【００３８】
ポイント管理サーバ１００の制御部１１０は、携帯機器７００から受信したデータに含まれる画像データＤｐｉｃの画像が、識別表示２０５ｍまたは識別表示５５５ｍを含むか否かを判定する。画像データＤｐｉｃの画像が、識別表示２０５ｍまたは識別表示５５５ｍを含む場合には（図２の上段右部参照）、ポイント管理サーバ１００の制御部１１０は、携帯機器７００のユーザＵｓｒに対して、１０ポイントを発行する。制御部１１０は、携帯機器７００から受信したデータ中のユーザＵｓｒの識別情報Ｕｉｄに基づいて、携帯機器７００のユーザＵｓｒを、特定することができる。
【００３９】
携帯機器７００から受信したデータに含まれる画像データＤｐｉｃの画像が、識別表示５５５ｍａを含む場合には（図２の中段右部参照）、制御部１１０は、携帯機器７００のユーザＵｓｒに、さらに２０ポイントを付与する。すなわち、制御部１１０は、付与すべきポイントの量を、画像データＤｐｉｃの画像に含まれる識別表示に基づいて決定する。制御部１１０は、画像データＤｐｉｃの画像が、識別表示２０５ｍと識別表示５５５ｍのいずれをも含まない場合には、携帯機器７００のユーザＵｓｒに対して、ポイントを付与しない。
【００４０】
制御部１１０は、携帯機器７００のユーザＵｓｒに付与したポイントの情報をユーザＵｓｒの識別情報Ｕｉｄと対応づけて、ＲＡＭ１１２に格納する。より具体的には、制御部１１０は、ユーザＵｓｒに付与したポイントの情報を、ＲＡＭ１１２内のポイント管理データＩｐａに反映させる。
【００４１】
ユーザＵｓｒは、獲得したポイントを、このポイントシステムに加入している店舗において、商品またはサービスと交換可能である。なお、ポイントを商品またはサービスと交換可能な店舗は、現実の店舗と、インターネットＩＮＴに接続された仮想店舗とを含む。
【００４２】
携帯機器７００の制御部７１０は、通信部７０５を介してポイント管理サーバ１００に識別情報Ｕｉｄを送信し、携帯機器７００のユーザＵｓｒに対応づけられたポイントを表すポイントデータＩｐｐを、要求することができる。ポイント管理サーバ１００の制御部１１０は、要求を受信すると、ポイント管理データＩｐａを参照して、識別情報Ｕｉｄが表すユーザＵｓｒに対応づけられたポイントを表すポイントデータＩｐｐを生成する。
【００４３】
ポイント管理サーバ１００の制御部１１０は、ポイントデータＩｐｐを、通信部１０５を介して携帯機器７００に送信する。携帯機器７００の制御部７１０は、通信部７０５を介してポイント管理サーバ１００からポイントデータＩｐｐを受信して、そのポイントデータＩｐｐが表すポイントの量を表示パネル７０２に表示する。
【００４４】
上記のような構成とすることにより、ユーザＵｓｒに対して、水素ステーション２００の液体水素タンク２０５や、水素配送車両５５０の液体水素タンク５５５を視認することによる利益を提供できる。言い替えれば、ユーザＵｓｒは、水素タンク２０５，５５５を視認し写真の画像データＤｐｉｃを送信することによる利益を享受できる。その結果、ユーザが液体水素タンク２０５，５５５を視認することによって感じうる不安感が低減される。
【００４５】
また、上記のような構成とすることにより、直接、液体水素タンク２０５，５５５を視認して、その写真を撮った人に加えて、インターネット上のサイトで液体水素タンク２０５，５５５の写真を見た人についても、液体水素タンク２０５，５５５を視認することによって感じうる不安感を低減することができる。
【００４６】
さらに、本実施形態においては、道路上を移動する水素配送車両５５０の一部の車両については、識別表示５５５ｍａを付し、他の車両の識別表示５５５ｍｂの画像が送信された場合よりも多くのポイントが付与される（図２参照）。すなわち、携帯機器７００のユーザＵｓｒは、通常の水素配送車両５５０を撮影した場合に得られるポイントよりも高いポイントを、確率的に得ることができる。このため、携帯機器７００のユーザＵｓｒは、ゲーム感覚で水素配送車両５５０の液体水素タンク５５５を撮影し、液体水素タンク５５５に親しむことができる。その結果、ユーザＵｓｒが液体水素タンク５５５を視認することによって感じうる不安感を、より低減することができる。
【００４７】
本実施形態における通信部１０５を「受信部」とも呼ぶ。携帯機器７００を「機器」とも呼ぶ。液体水素タンク２０５および液体水素タンク５５５を「水素タンク」とも呼ぶ。ポイント管理サーバ１００を「ポイント発行システム」または「処理装置」とも呼ぶ。液体水素タンク２０５と、液体水素タンク５５５と、携帯機器７００と、ポイント管理サーバ１００と、を含むシステム全体を、「ポイントシステム」とも呼ぶ。
【００４８】
Ｂ．第２実施形態：
図３は、第２実施形態の水素ステーション２００Ｂの液体水素タンク２０５Ｂおよび制御部２１０を示す説明図である。第２実施形態においては、水素ステーション２００Ｂの液体水素タンク２０５Ｂの外面に、識別表示２０５ｍに加えて、広告表示部２０５ｓが設けられている。また、水素ステーション２００Ｂは、制御部２１０と、通信部２０８と、を有している。第２実施形態の他の点は、第１実施形態と同じである。
【００４９】
広告表示部２０５ｓは、具体的には、画像を表示することができる液晶ディスプレイである。広告表示部２０５ｓは、制御部２１０に制御されて、各種の広告を表示することができる。すなわち、直径２ｍ、長さ７ｍ程度の略円柱形を有する液体水素タンク２０５Ｂの表面の一部を利用して、広告表示部２０５ｓを介して、デジタルサイネージが提供される。図３の例では、ヤマダ自動車の水素自動車４００の広告が表示されている。
【００５０】
通信部２０８は、インターネットＩＮＴを介して水素ステーション２００の外部と通信を行い、情報を送受信することができる。通信部２０８は、たとえば、広告表示部２０５ｓに表示すべき動画のデータＩｍを受信する。
【００５１】
制御部２１０は、広告表示部２０５ｓを制御する。制御部１１０は、プロセッサーであるＣＰＵ２１１、ＲＡＭ２１２、およびＲＯＭ２１３を備える。制御部２１０には、広告表示部２０５ｓを制御するための制御プログラムがインストールされている。制御部２１０においては、ハードウェア資源としてのＣＰＵ２１１、ＲＡＭ２１２、およびＲＯＭ２１３と、制御プログラムとが協働する。具体的には、ＣＰＵ２１１が、ＲＯＭ２１３に記憶されたコンピュータプログラムをＲＡＭ２１２にロードして実行することによって、様々な機能を実現する。ＣＰＵ２１１が取得または生成した情報は、ＲＡＭ２１２に格納される。ＲＡＭ２１２は、たとえば、通信部２０８を介して外部から受信された、広告表示部２０５ｓに表示すべき動画のデータＩｍを格納する。
【００５２】
このような構成とすることにより、水素ステーション２００の経営者は、液体水素タンク２０５Ｂの広告表示部２０５ｓに広告を表示し、その広告表示の対価を広告主から得ることができる。また、液体水素タンク２０５Ｂを視認する人は、液体水素タンク２０５を広告媒体として認識する。その結果、一般の人々が水素ステーション２００の液体水素タンク２０５Ｂを視認することによって感じうる不安感を低減することができる。
【００５３】
Ｃ．第３実施形態：
図４は、第３実施形態の水素ステーション２００Ｃの液体水素タンク２０５Ｃを示す説明図である。第３実施形態においては、水素ステーション２００Ｂの液体水素タンク２０５Ｂの表面に、識別表示２０５ｍに加えて、複数の有彩色を使用した人目をひく模様２０５ｄが付されている。第３実施形態の他の点は、第１実施形態と同じである。
【００５４】
このような構成とすることにより、液体水素タンク２０５Ｂを視認する人が、自発的に携帯機器７００のカメラ部７０７で液体水素タンク２０５Ｂの写真を撮り、通信部７０５を介して、ポイント管理サーバ１００のＳＮＳにアップすることを、促すことができる。その結果、一般の人々がインターネット上で液体水素タンク２０５Ｂの写真を見る可能性を高めることができる。よって、一般の人々が水素ステーション２００液体水素タンク２０５Ｂを視認することによって感じうる不安感を、より低減することができる。
【００５５】
Ｄ．他の実施形態：
Ｄ１．他の実施形態１：
上記実施形態においては、形状が同一で色が異なる識別表示５５５ｍａ，５５５ｍｂが、水素配送車両５５０の液体水素タンク５５５に付される。しかし、複数種類の識別表示は、形状の一部が異なるものであってもよい。また、複数種類の識別表示は、水素ステーション２００の液体水素タンク２０５や水素ガスタンク２０４に、水素を収容する態様に応じて付されてもよい。
【００５６】
Ｄ２．他の実施形態２：
上記実施形態においては、制御部１１０は、携帯機器７００から受信したデータに含まれる画像データＤｐｉｃの画像が、識別表示５５５ｍａを含む場合には（図２の中段右部参照）、携帯機器７００のユーザＵｓｒに、画像データＤｐｉｃの画像が識別表示５５５ｍｂを含む場合よりも多くのポイントを付与する。しかし、ポイント発行システムとしてのポイント管理サーバ１００は、そのような区別を行わず、一定のポイントを発行することもできる。さらに、複数種類の識別表示を設けず、同一の形状および色彩を有する識別表示を各水素タンクに付してもよい。ただし、識別表示は、識別表示が付される対象に応じて、様々な大きさで付されることができる。
【００５７】
Ｄ３．他の実施形態３：
上記実施形態においては、識別表示２０５ｍが付されるのは、液体水素タンク２０５である（図１および図２参照）。しかし、水素を収容するタンクに付されることができ水素以外の流体を収容するタンクには付されない識別表示は、水素ガスタンクに付されてもよい（図１参照）。また、水素タンクは、貯留用液体水素タンクでもよく、輸送用用液体水素タンクでもよい。すなわち、水素を収容するタンクに付されることができ水素以外の流体を収容するタンクには付されない識別表示は、態様を問わず、水素を収容するタンクに付されることができる。
【００５８】
Ｄ４．他の実施形態４：
上記実施形態においては、画像データＤｐｉｃの画像が、識別表示２０５ｍまたは識別表示５５５ｍを含む場合には（図２の上段右部参照）、ポイント管理サーバ１００の制御部１１０は、携帯機器７００のユーザＵｓｒに対して、ポイントを発行する。しかし、ポイントを発行する条件として、画像データＤｐｉｃとともに送信された位置情報Ｉｐｏｓが表す位置が、あらかじめ定められた位置であるという条件を満たすことが要求されてもよい。
【００５９】
Ｄ５．他の実施形態５：
上記実施形態においては、ポイントは携帯機器７００に対応づけられたユーザＵｓｒに対して付与される。しかし、ポイントは携帯機器７００に対して発行されることもできる。そのような態様においては、各携帯機器７００は、各携帯機器７００自身を識別できる機器識別情報を、ＲＡＭ７１２またはＲＯＭ７１３内に保有しており、その機器識別情報が画像データＤｐｉｃとともにポイント管理サーバ１００に送信される。ポイント管理サーバ１００の制御部１１０は、受信した機器識別情報に基づいて、データを送信した携帯機器７００に対して、画像データに基づいて決定したポイントを付与する。
【００６０】
Ｄ６．他の実施形態６：
上記実施形態においては、識別表示を含む写真の画像データＤｐｉｃを送信するのは、スマートフォンである携帯機器７００である。しかし、識別表示を含む写真の画像データを送信する機器は、スマートフォンに限らず、フィーチャーフォンであってもよい。また、識別表示を含む写真の画像データを送信する機器は、ユーザに携帯される機器に限らず、一定の場所に設置される機器であってもよい。
【００６１】
Ｄ７．他の実施形態７：
上記実施形態においては、ポイント管理サーバ１００において、ＳＮＳが構築されている。しかし、ＳＮＳは他のＳＮＳサーバにおいて構築され、または他のＳＮＳサーバによって管理されてもよい。ポイント管理サーバは、ＳＮＳサーバにアップロードされた写真の画像が識別表示を含む場合に、付与すべきポイントの量を識別表示に基づいて決定し、画像データを送信した機器またはその機器に対応づけられたユーザに対して、決定されたポイントを付与すればよい。
【００６２】
なお、ＳＮＳサーバにアップされた写真の画像が識別表示を含むか否かの判定は、ＳＮＳサーバが行ってもよいし、ポイント管理サーバ１００がＳＮＳサーバにアップされる画像をモニタし、ポイント管理サーバ１００が行ってもよい。そのような態様においては、ポイント管理サーバ１００は、ＳＮＳサーバから、画像データを送信した機器またはその機器に対応づけられたユーザの情報を受領する。
【００６３】
また、ネットワークで接続された複数のプロセッサーおよびそれらのプロセッサーおよび複数のメモリの一部または全部を利用して、ポイント発行システムの制御部を実現することが可能である。
【００６４】
Ｄ８．他の実施形態８：
上記第２実施形態では、水素ステーション２００Ｂの液体水素タンク２０５Ｂに、液晶ディスプレイである広告表示部２０５ｓが設けられている。しかし、水素タンクに付される広告表示部は、プラズマディスプレイなど、他の表示手段でもよい。また、水素タンクに付される広告表示部は、プロジェクタから画像光の射出を受けて画像が表示される領域であってもよい。さらに、水素タンクに付される広告表示部は、ポスターが貼られる領域で会ってもよいし、広告が描かれる領域であってもよい。
【００６５】
Ｄ９．他の実施形態９：
上記実施形態においては、送信された画像データが表す写真の画像が識別表示２０５ｍ，５５５ｍを含む場合に、ユーザＵｓｒに対してポイントが付与される。しかし、たとえば、（ｉ）画像データが表す写真の画像が識別表示を含み、かつ、（ｉｉ）写真が撮影された位置を表す位置情報に基づいて特定の水素タンクの写真であることが判定できた場合には、以下の処理を行うこともできる。
【００６６】
すなわち、ポイント管理サーバ１００が、動画のデータを携帯機器７００に配信する。そして、携帯機器７００は、カメラ部７０７を介して取得し表示パネル７０２に表示している景色に、その動画を重畳させて表示させる。その動画は、いわゆる拡張現実として、表示パネル７０２に表示される景色に応じて、表示される。このような表示は、ゲームの一部として行われることもできる。たとえば、動画は、ゲームのキャラクターの動画とすることができる。
【００６７】
さらに、一部の水素タンクの画像が送信された場合には、他の場合に送信される動画よりも送信される確率が低い動画が送信され、表示されてもよい。このような態様とすれば、ユーザは、積極的に水素タンクのある場所に移動して、水素タンクの画像を機器で撮像しようとする。このため、ユーザが液体水素タンクを視認することによって感じうる不安感がより低減される。
【００６８】
本開示は、上述の実施形態に限られるものではなく、その趣旨を逸脱しない範囲において種々の構成で実現することができる。例えば、発明の概要の欄に記載した各形態中の技術的特徴に対応する実施形態の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００６９】
１００…ポイント管理サーバ、１０５…通信部、１１０…制御部、１１１…ＣＰＵ、１１２…ＲＡＭ、１１３…ＲＯＭ、２００，２００Ｂ，２００Ｃ…水素ステーション、２０１…建物、２０４…水素ガスタンク、２０５，２０５Ｂ，２０５Ｃ…液体水素タンク、２０５ｄ…模様、２０５ｍ…識別表示、２０５ｓ…広告表示部、２０８…通信部、２０９…水素ガス供給装置、２１０…制御部、２１１…ＣＰＵ、２１２…ＲＡＭ、２１３…ＲＯＭ、４００…水素自動車、４０４…水素ガスタンク、４０６…燃料電池装置、５００…水素生成施設、５０１…高炉、５０２…水素製造装置、５０４…液体水素タンク、５５０，５５０Ａ，５５０Ｂ…水素配送車両、５５５…液体水素タンク、５５５ｍ…識別表示、５５５ｍａ…識別表示、５５５ｍｂ…識別表示、７００…携帯機器、７０１…ＧＰＳユニット、７０２…表示パネル、７０５…通信部、７０６…入力部、７０６ａ…タッチパネル、７０６ｂ…ボタン、７０７…カメラ部、７１０…制御部、７１１…ＣＰＵ、７１２…ＲＡＭ、７１３…ＲＯＭ、Ｄｐｉｃ…画像データ、Ｄｓｄ…送信データ、Ｈｇ３…水素ガス、Ｈｇ４…水素ガス、ＨＬ…液体水素、ＩＮＴ…インターネット、Ｉｍ…動画データ、Ｉｐａ…ポイント管理データ、Ｉｐｏｓ…位置情報、Ｉｐｐ…ポイントデータ、Ｕｉｄ…識別情報、Ｕｓｒ…ユーザ
【図１】
2020113226.tif 000003
【図２】
2020113226.tif 000004
【図３】
2020113226.tif 000005
【図４】
2020113226.tif 000006